(57)【要約】エレベータ用かご上手摺において、エレベータ用かご（２）上に備えられた手摺（１１０）と、手摺（１１０）を支える支持枠（４）と、支持枠（４）をかご２に固定するための固定柱（６）とを備える。また、手摺（１１０）は、かご（２）の、対向する２側面に平行に、かご（２）上部に備えられた側面手摺（１２０、１３０）と、側面手摺（１２０、１３０）に垂直に、かご（２）の上部に備えられた、背面手摺（１４０）とを含む。更に、手摺（１１０）のうち少なくとも側面手摺（１２０，１３０）は、高さを調整できる調整手段（２６、３０）を備え、かつ、各手摺（１１０）は、かご（２）の上面に水平な方向に折り畳んで収納できる収納手段（３２，３４）を備える。
2003093157.tif 000002
【特許請求の範囲】
【請求項１】
エレベータ用かご上に備えられた手摺と、
前記手摺を支える支持枠と、
前記支持枠を前記かごに固定するための固定柱とを備え、
前記手摺は、前記かごの対向する２側面に平行に、前記かご上部に備えられた側面手摺と、
前記側面手摺に垂直に、前記かごの上部に備えられた、背面手摺とを含み、
前記手摺のうち少なくとも側面手摺は、高さを調整できる調整手段を備え、
かつ、
前記各手摺は、前記かごの上面に水平な方向に折り畳んで収納できる収納手段を備えることを特徴とするエレベータ用かご上手摺。
【請求項２】
前記収納手段は、前記支持枠と、前記各手摺との取り付け部分を中心に、前記手摺を前記かごの上面の方向に回転させて折り畳むことを特徴とする請求項１に記載のエレベータ用かご上手摺。
【請求項３】
前記側面手摺は、前記支持枠に取り付けられた中空の下段手摺と、前記下段手摺に接続される上段手摺とを備え、
前記調整手段は、前記下段手摺と前記上段手摺とを取り付け及び又は取り外す取付手段を備え、
前記取付手段を取り外すことにより、前記下段手摺内部に、前記上段手摺を収納することを特徴とする請求項１または２に記載のエレベータ用かご上手摺。
【請求項４】
前記側面手摺は、前記支持枠に取り付けられた下段手摺と、前記下段手摺に接続される上段手摺とを備え、
前記調整手段は、前記下段手摺と前記上段手摺とを回転可能に接続する接続部分を備え、前記接続部分を中心に、前記上段手摺を、前記下段手摺方向に回転させて折り畳むことを特徴とする請求項１または２に記載のかご上手摺。
【請求項５】
前記側面手摺は、前記支持枠に取り付けられた下段手摺と、前記下段手摺に接続される上段手摺とを備え、
前記調整手段は、前記上段手摺と、前記下段手摺との接続部分を中心に、前記上段手摺を、前記下段手摺方向に回転させて、前記下段手摺内部に収納することを特徴とする請求項１または２に記載のエレベータ用かご上手摺。
【請求項６】
エレベータのかご上部に備えられた手摺と、
前記手摺を支える支持枠と、
前記支持枠を前記かごに固定する固定柱を備え、
前記手摺は、前記エレベータの２側面にそれぞれ、平行な方向に設けられた２つの側面手摺と、前記側面手摺に垂直な方向に設けられた背面手摺とを備え、
前記側面手摺は、一方を収納すると、他方も収納されるようにする自動収納手段を備えることを特徴とするエレベータ用かご上手摺。
【請求項７】
前記自動収納手段は、一端を前記側面手摺の一方に取り付け、他端を前記側面手摺の他方に取り付けた収納棒を含むことを特徴とする請求項５に記載のエレベータ用かご上手摺。
【請求項８】
前記エレベータ用かご上、収納及び／または設置の状態を確認する安全装置を備え、
前記自動収納手段は、前記手摺の収納または設置と同時に、前記安全装置を作動または停止することを特徴とする請求項６または７に記載のかご上手摺。
【発明の詳細な説明】
技術分野
この発明は、エレベータ用かご上手摺に関する。更に具体的には、エレベータのかご上部における作業の際に、かご上部に設置される手摺に関するものである。
背景技術
図２１は、従来のエレベータ用かご６００の上部に備えられた手摺６１０を示す模式図であり、図２１Ａは、正面図であり、図２１Ｂは、図２１Ａにおいて、右側から見た場合の側面図である。
図２１に示すように、エレベータ用かご６００には、かご２及び手摺６１０が備えられている。
手摺６１０には、左側面手摺６２０、右側面手摺６３０及び、背面手摺６４０が備えられている。各手摺６２０、６３０、６４０は、それぞれ、支持枠４に取り付けられている。また、支持枠４は、固定柱６を介して、かご２に固定されている。固定柱６上部には、エレベータ用かご６００を昇降するためのロープを、かご２下部に配置された巻き車（図示せず）に通すロープ通路８が備えられている。
また、左側面手摺６２０及び背面手摺６４０は、それぞれ、かご２天井面に対して垂直な方向に配置された２本の縦枠１４と、この２本の縦枠１４の間に、縦枠１４に対して垂直に配置された下段横枠２０、上段横枠２２とを含んで構成される。また、右側面手摺６３０は、それぞれ、下段縦枠１６及び上段縦枠１８とが組み合わされた２本の縦枠と、この２本の縦枠の間に、縦枠１６、１８に対して垂直に配置された下段横枠２０、上段横枠２２とを含んで構成される。
手摺６１０は、エレベータ用かご６００上部において、省スペース化を図るため、取付部材３２及び縦枠１４あるいは下段縦枠１６に貫通させた取付ねじ３４を中心軸にして、９０度内側に回転させて、折り畳んだ状態で収納できるようになっている。また、手摺６１０を折り畳んだ際、右側面手摺６３０の縦枠は、上段縦枠１８が下段縦枠１６に対して、下側になるように設置されている。
また、手摺６１０には、手摺を収納したことを検出する安全装置が備えられている。この安全装置は、右側面手摺６３０に設けられた安全スイッチ９２と、左側面手摺６２０に、ヒモ９４を介して取り付けられた押さえ金具９６から構成される。手摺６１０の収納時には、押さえ金具９６により、安全スイッチ９２をＯＮにし、手摺が収納されたことが検出できるようになっている。
このような構造を有するエレベータ用の手摺６１０を折り畳む場合、図２１Ｃ、２１Ｄに示すように、左側面手摺６２０を、右側面手摺６３０の上段縦枠１８及び下段横枠２２の上に重ねることができる。このようにすれば、左右側面手摺６２０、６３０の高さをある程度高くしても、左右側面手摺６２０、６３０を折り畳む際、手摺同士がぶつかり合って、互いに干渉し合うのを防ぐことができる。従って、このような構造によれば、ある程度、手摺６１０の収納に要する高さを抑えて、省スペース化を図りつつ、小さなスペースにもある程度高い手摺を設置することができる。
ところで、エレベータの作動時には、手摺６１０や、かご上機器１２を含むエレベータ用かご６００上のスペースは、できる限り小さくすることが好ましい。一方、かご上に乗り込んで行う点検等の作業においては、安全性の観点から、ある程度の手摺の高さは必要である。
しかし、間口の狭いエレベータ用かご上に、上述のような構造で、高い手摺を設けようとすれば、手摺を折り畳む際に、例えば、かご上機器１２などに手摺がぶつからないように、縦枠の折り曲げる位置、即ち、取り付けねじ３４の位置を、ある程度高くする必要がある。従って、手摺を折り畳んで収納しても、ある程度の高さが必要になる。
また、エレベータ用かご上で安全点検等の作業を行う場合、エレベータの備えられた建物の最上階のエレベータ乗り場からかご上に乗り込む。この場合、作業の安全性を確保するため、人がエレベータ用かご上に乗り込む前に、乗り場から、まず、手摺を組み立てる必要がある。しかし、乗り場からの手摺の組立作業は困難である。このため、作業の際、手摺の設置に要する時間が増加し、全体の作業時間が長くなってしまい、エレベータが長時間停止することとなり、エレベータの利用者に不便を強いることになってしまう。
更に、作業を行う場合、安全装置を解除しなければ、かご上に乗り込むことができない。また、作業終了後、エレベータを作動するためには、安全装置を作動させて、手摺が収納されたことを検出させる必要がある。この安全装置のスイッチは、手摺収納後に乗り場から入れる必要があるが、安全スイッチの配置位置によっては、乗り場からの作業は困難であった。また、二方向に乗り場を有するエレベータにおいても、安全スイッチの配置によって、かご上に乗り込む、または、かご上から降りる方向に制約をうけることになる。従って、作業に要する時間が長くなってしまい、エレベータが長時間停止することになってしまうことが考えられる。
発明の概要
この発明は、以上のような問題を解決し、小さなスペースにも収納可能な高い手摺を設けるとともに、手摺の設置、収納や、安全装置の作動に伴う時間の短縮を図ることを目的として、改良されたエレベータ用かご上の手摺を提案するものである。
この発明のエレベータ用かご上手摺は、エレベータのかご上に備えられた手摺と、
前記手摺を支える支持枠と、
前記支持枠を前記かごに固定するための固定柱とを備え、
前記手摺は、前記かごの対向する２側面に平行に、前記かご上部に備えられた側面手摺と、
前記側面手摺に垂直に、前記かごの上部に備えられた、背面手摺とを含み、
前記手摺のうち少なくとも側面手摺は、高さを調整できる調整手段を備え、
かつ、
前記各手摺は、前記かごの上面に水平な方向に折り畳んで収納できる収納手段を備えるものである。
これよれば、小さなスペースに、高い手摺を収納することができる。
また、この発明のエレベータ用かご上手摺は、エレベータのかご上部に備えられた手摺と、
前記手摺を支える支持枠と、
前記支持枠を前記かごに固定する固定柱を備え、
前記手摺は、前記エレベータの２側面にそれぞれ、平行な方向に設けられた２つの側面手摺と、前記側面手摺に垂直な方向に設けられた背面手摺とを備え、
前記側面手摺は、一方を収納すると、他方も収納されるようにする自動収納手段を備える。
これによって、手摺の設置、収納に要する時間を短縮することができ、エレベータ用かご上で行う作業全体の時間を短縮することができる。
また、この発明のエレベータ用かご上手摺は、収納及び／または設置の状態を確認する安全装置を備え、
前記自動収納手段は、前記手摺の収納または設置と同時に、前記安全装置を作動または停止するものである。
これによって、安全装置の作動又は停止に要する時間を短縮することができ、エレベータ用かご上での作業全体の時間を短縮することができる。
発明を実施するための最良の形態
以下、図面を参照して本発明の実施の形態について説明する。なお、各図において、同一または相当する部分には同一符号を付してその説明を簡略化ないし省略する。
まず図１から図３にて、この発明の実施の形態１について説明する。
図１は、この発明の実施の形態１におけるエレベータ用かご１００上部に設置された手摺１１０を示す斜視図である。
図１に示すように、エレベータ用かご１００には、かご２と手摺１１０とが備えられている。また、手摺１１０には、左側面手摺１２０、右側面手摺１３０、及び、背面手摺１４０が備えられている。各手摺１２０、１３０、１４０は、支持枠４に取り付けられている。支持枠４は、固定柱６により、かご２に固定されている。また、固定柱６の上部には、ロープ通路８が設けられている。ロープ通路８は、エレベータ用かご１００を昇降するため、かご２下方の巻き車（図示せず）に昇降用ワイヤロープを通すために用いられる。また、かご２上部には、かご上機器１２が設けられている。
図２は、エレベータ用かご１００の上部に手摺１１０が組み立てられた状態を示す模式図であり、図２Ａは、上面図、図２Ｂは、正面図、図２Ｃは、図２Ａにおいて、右側から見た場合の側面図を示す。
図２に示すように、各手摺１２０、１３０、１４０は、それぞれ、下段縦枠１６と上段縦枠１８とを組み合わせた２本の縦枠と、この２本の縦枠の間に、縦枠１６、１８に対して垂直に配置された、下段横枠２０と上段横枠２２とを備える。
下段縦枠１６は、中空の四角柱である。下段縦枠１６には、下方と上方とに、それぞれ、貫通孔２４、２６が設けられている。また、上段縦枠１８は、四角柱である。上段縦枠１８には、下方と上方とに、それぞれ、設置用貫通孔２８、収納用貫通孔３０が設けられている。
取付金具３２は、２面がほぼ垂直に交わるＬ字型の金具であり、一面において、支持枠４に固定されている。また、取付ねじ３４は、取付金具３２の他面と、各下段縦枠１６に設けられた貫通孔２４とを貫通し、これによって、各下段縦枠１６は、支持枠４に接続している。
また、手摺１１０が設置されている状態においては、取付ねじ３６は、下段縦枠１６の貫通孔２６と、上段縦枠１８の設置用貫通孔２８とを貫通し、これにより、上段縦枠１８を、下段縦枠１６に固定している。
また、下段横枠２０は、２本の下段縦枠１６の上端付近の間に、下段縦枠１６に垂直になるように固定されている。また、上段横枠２２は、２本の上段縦枠１８の上端付近の間に、上段縦枠１８に垂直になるように固定されている。
図３は、手摺１１０が収納された状態を示す図であり、図３Ａは、上面図、図３Ｂは、正面図、図３Ｃは、図３Ａにおいて、右側から見た場合の側面図を示す。
図３に示すように、手摺１１０が収納された状態においては、各上段縦枠１８は、各下段縦枠１６内部に収納されている。また、上段手摺１８を収納した状態で、各手摺１２０、１３０、１４０は、取付ねじ３４を中心軸として、９０度内側に折り畳まれている。また、背面手摺１４０は、左右側面手摺１２０、１３０に対して、下方に配置されるようになっており、手摺収納の際に、各手摺同士が干渉することを防いでいる。
次に、図４を用いて、手摺１１０を収納する状態を説明する。
図４は、左側面手摺１２０が、収納される工程を説明するための断面図であり、図４Ａ、４Ｃ、４Ｅは、正面に平行な断面を示し、図４Ｂ、４Ｄ、４Ｆは、側面に平行な断面を示す。
図４Ａ、４Ｂに示すように、設置の状態においては、下段縦枠１６は、取付金具３２により、支持枠４に取り付けられ、かご２上面に対して垂直な方向に固定されている。また、上段縦枠１８は、下段縦枠１６の貫通孔２６と、上段縦枠の設置用貫通孔２８とに、取付ねじ３６を貫通させることにより、左側面手摺１２０が最も高くなるような状態で、下段縦枠１６に固定されている。
この状態から、左側面手摺１２０を収納する場合には、まず、上段縦枠１８を下段縦枠１６に固定している取付ねじ３６を引き抜いて外す。これによって、上段縦枠１８は、下段縦枠１６から外される。この状態で、図４Ｃ、４Ｄに示すように、上段縦枠１８を下方に引き下げ、下段縦枠１６の内部に、スライドさせて収納する。その後、上段縦枠１８の収納用貫通孔３０と、下段縦枠の貫通孔２６とに、取付ねじ３６を貫通させて固定する。
次に、図４Ｅ、４Ｆに示すように、上段縦枠１８を収納した下段縦枠１６を、取付ねじ３４を中心軸として、ほぼ９０度内側に回転して折り畳む。この状態で、左側面手摺１２０は収納される。
なお、右側面手摺１３０、背面手摺１４０についても同じように収納される。
このよう、手摺１１０は、二段階に折り畳まれている。従って、左右側面手摺を折り畳む際の干渉を防止し、かつ、かご上機器１２などが障害となることなく、小さなスペースで、手摺を収納することができる。
なお、上述したように、かご２の上には、左側面手摺１２０、右側面手摺１３０及び背面手摺１４０が備えられているが、このように３面に手摺を有するものに限らず、４面全てに手摺を有するものや、左右のみに手摺を設置するものなどであってもよい。
また、実施の形態１においては、各手摺１２０、１３０、１４０は、それぞれ、２段階に折り畳み可能なものとした。しかし、例えば、左右のみを折り畳み可能とし、背面手摺については１段階のみ折り畳めるものとしてもよい。また、２段階に折り畳むものに限らず、上面とのスペースと手摺の強度、高さ等を考慮すれば、３段階以上に折り畳みできるものであってもよい。
また、実施の形態１においては、下段縦枠１６を中空の四角柱とし、この内部に、上段縦枠１８をスライドさせて収納できるようにした。しかし、これに限らず、例えば逆に、上段縦枠１８を中空の四角柱とし、上段縦枠１８の内部に下段縦枠１６を収納できるようにしてもよい。
また、各縦枠、横枠及び取付金具等の形状や配置位置等は、この発明の範囲において、実施の形態１において説明したものに限るものではない。
なお、実施の形態１において、下段縦枠１６は、この発明の下段手摺に該当し、上段横枠１８は、この発明の上段手摺に該当する。また、下段縦枠１６の貫通孔２６、設置用貫通孔２８、収納用貫通孔３０及び取付ねじ３６を含む部分は、この発明におけるの調整手段及び取付手段に該当する。また、下段縦枠の貫通孔２４、取付金具３２及び取付ねじ３４を含む部分は、この発明における収納手段に該当する。
次に、図５から図７にて、発明の実施の形態２について説明する。
図５は、この発明の実施の形態２における、エレベータ用かご２００上部に設置された手摺２１０について説明するための図であり、図５Ａは、正面図であり、図５Ｂは、図５Ａにおいて、右側から見た場合の側面図である。
図５に示すように、手摺２１０は、設置された状態においては、実施の形態１における手摺１１０と同様に、左側面手摺２２０、右側面手摺２３０及び背面手摺２４０を含む。
また、左側面手摺２２０及び右側面手摺２３０は、それぞれ、下段縦枠１６と上段縦枠１８とを組み合わせた２本の縦枠と、２本の縦枠の間に、縦枠に対して垂直に配置された下段横枠２０、及び上段横枠２２の４本の枠棒で構成されている。
実施の形態２においては、下段縦枠１６には、下方及び上方に貫通孔２４、４０が設けられている。また、上段縦枠１８には、下方に貫通孔４２が設けられている。下段縦枠１６と上段縦枠１８が接続する部分には、取付金具４４が配置されている。取付金具４４は、上下に２つの貫通孔を有する。取付ねじ４６は、取付金具４４の下側の貫通孔と、下段縦枠の貫通孔４０とを貫通する。また、取付ねじ４８は、取付金具４４の上側の貫通孔と、上段縦枠１８の貫通孔４２とを貫通する。これによって、下段縦枠１６と上段縦枠１８とは、取付金具４４を介して接続されている。取付金具４４は、取付ねじ４６を中心軸として、回転可能になっている。また、上段縦枠１６は、取付ねじ４８を中心軸として、回転可能になっている。
一方、背面手摺２４０は、下段横枠２０及び横枠上段２２を備えるが、縦枠は、左右側面手摺２２０、２３０のように２段階では構成されず、１本の柱で構成される縦枠１４が、２本、それぞれ、上下横枠２０、２２の両端に、上下横枠２０、２２に対して垂直に配置されている。
また、実施の形態１と同様に、各下段縦枠１６あるいは縦枠１４の下方に設けられた貫通孔２４と、取付金具３２とに、取付ねじ３４を貫通させることにより、各手摺２２０、２３０、２４０は、支持枠４に、回転可能に取り付けられている。
図６は、手摺２１０が、収納された状態を説明するための模式図であり、図６Ａは、正面図、図６Ｂは、図６Ａにおいて、右側から見た場合の側面図である。
図６に示すように、左側面手摺２２０及び右側面手摺２３０の上段縦枠１８は、それぞれ、下段縦枠１６と上段縦枠１８との間に設置された取付金具４４において、内側に１８０度回転して折り畳まれている。また、この状態で、下段縦枠１６と、支持枠４とを取り付ける取付金具３２において、９０度内側に回転して折り畳まれている。即ち、左右側面手摺２２０、２３０は、二段階に折り畳まれた状態で、収納される。
一方、背面手摺２４０は、支持枠４と、縦枠１４とを取り付ける取付金具３２において、９０度内側に折り曲げられている。この際、背面手摺２４０は、左右側面手摺２２０、２３０の下に配置されている。
図７は、左側面手摺２２０が収納される状態について説明するための一部透視図を含む模式図であり、図７Ａ、７Ｃ、７Ｅは、正面図、図７Ｂ、７Ｄ、７Ｆは、図７Ａ、７Ｃ、７Ｅにおいて、左から見た場合の側面図である。なお、図７においては、支持枠４及び取付金具３２、４４の部分において、内部を透視して示している。
以下、図７を用いて、左側面手摺２２０が収納される工程について説明する。
まず、図７Ａ、図７Ｂに示すように、左側面手摺２２０は、かご２上部に設置された状態になっている。
この状態において、下段縦枠１６は、取付金具３２を介して、支持枠４に取り付けられ、かご２上面に対して垂直な状態で固定されている。また、上段縦枠１８は、取付金具４４を介して、下段縦枠１６の上部に同じ方向に、積み上げるようにして接続されている。
図７Ｃ、７Ｄは、下段縦枠１６と上段縦枠１８との間において、上段縦枠１８が、１８０度内側に折り曲げられた状態を示す。
この状態では、取付金具４４は、取付金具４４の貫通孔と、下段縦枠１６の貫通孔４０とを貫通する取付ねじ４６を中心軸として、９０度内側に回転する。また、上段縦枠１８は、その貫通孔４２を貫通する取付ねじ４８を中心軸として、９０度回転して、内側に折り畳まれる。このようにして、図７Ｃ、７Ｄに示すように、上段縦枠１８は、１８０度内側に折れ畳まれ、下段縦枠１６に平行な位置に配置される。
図７Ｅ、７Ｆは、手摺２１０が折り畳まれた状態を示す。
ここでは、上段縦枠１８が１８０度内側に折り畳まれた状態のまま、下段縦枠１６の下方の取付ねじ３４を中心軸として、縦枠下段を９０度内側に回転させて折り畳む。従って、上段縦枠１６、下段縦枠１８ともに、かご２の上部に水平な状態で折り畳まれる。
なお、左側面手摺２２０の収納の工程について説明したが、右側面手摺２３０についても、同じように収納される。また、背面手摺２４０は、縦枠１４が、１本で構成され、図６に示すように、取り付けねじ３４を中心軸として、９０度内側に回転して折り畳まれただけの状態で収納される。このようにすれば、図６に示すような状態で、手摺２１０を収納することができる。
ここでは、背面手摺２４０は、対向する正面側に手摺を有さないため、左右側面手摺２２０、２３０のように二段階に折り畳まなくても、対向する面に備えられた手摺同士で干渉することがない。また、手摺を折り畳んだ時に障害となりやすいかご上機器１２は、正面付近に配置されているため、背面手摺２４０を折り畳んだ際、かご上機器１２が障害となることもない。従って、背面手摺２４０は、１段階に折り畳まれるようになっている。
以上のようにすれば、手摺２１０の収納の際に、左右側面手摺２２０、２３０が互いにぶつかり合って、干渉することなく、また、かご上機器１２などが障害となることもない。従って、間口の狭いエレベータにおいても、省スペース化を図りつつ、高い手摺を設けることができる。
なお、実施の形態２においては、上段縦枠１８を内側に折り畳むため、取付金具４４に取付ねじ４６、４８を貫通させたものを回転手段として用いたが、これに限るものではなく、上段縦枠１８を、一度折り畳むことができるものであればよい。
また、取付金具４４や、取付ねじ４６、４８等の配置や形状等は、この発明の範囲内において、実施の形態２に説明した形状に限るものではない。
その他は、実施の形態１と同様であるから説明を省略する。
なお、実施の形態２において、貫通孔４０、４２、取付金具４４及び取付ねじ４６、４８を含む部分は、この発明の調整手段及び接続部分に該当する。
次に、図８〜図１３にて、この発明の実施の形態３について説明する。
図８は、この発明の実施の形態３におけるエレベータ用かご３００上部に、手摺３１０が設置された状態を示す模式図であり、図８Ａは、正面図、図８Ｂは、図８Ａにおいて、右側から見た場合の側面図である。
図８に示すように、手摺３１０は、左側面手摺３２０、右側面手摺３３０及び背面手摺３４０を備え、各手摺３２０、３３０、３４０は、実施の形態１と同様に、支持枠４に取り付けられている。
また、左側面手摺３２０及び右側面手摺３３０は、下段縦枠１６と上段縦枠１８とを組み合わせた２本の縦枠と、この２本の縦枠の間に、縦枠に対して垂直に配置された下段横枠２０、上段横枠２２とを備える。下段横枠２０は、２本の下段縦枠１６の中間部付近に配置されている。また、上段横枠２２は、２本の上段縦枠１８の上方に配置されている。
一方、背面手摺２４０の縦枠は、一本の縦枠１４で構成されている。背面手摺２４０は、２本の縦枠１４と、その間に、縦枠１４に対して垂直に配置された下段横枠２０、上段横枠２２を備えている。
図９は、左右側面手摺３２０、３３０の、縦枠を示す模式図であり、図９Ａは、下段縦枠１６を、図９Ｂは、上段縦枠１８を示す模式図である。また、図９Ａ、９Ｂそれぞれにおいて、左側が正面を示し、右側が側面を示す。
下段縦枠１６は、一面に、開放面を有する中空の四角柱である。図９Ａに示すように、下段縦枠１６の上端部には、縦Ｕ字溝５２が設けられている。縦Ｕ字溝５２は、下段縦枠１６の上方を縦にＵ字型にくり抜いて形成されている。また、縦Ｕ字溝５２下方には、下段縦枠１６の縦方向に対して垂直な方向に突出する下段係合杭５４が備えられている。下段係合杭５４は、図９Ａの紙面左側に示す正面図においては、紙面に対して垂直な方向に裏表に突出し、紙面右側に示す側面図においては、下段縦枠１６に垂直に左右方向に突出するように設けられている。また、下段係合杭５４の下方には、横Ｕ字溝５６が設けられている。横Ｕ字溝５６は、下段縦枠１６の縦方向に対して垂直な方向に、Ｕ字型にくり抜いて形成されている。また、この横Ｕ字溝５６が設けられている面、即ち、図９Ａ左側の正面図において、左側に位置する側面は、一面が開放面となっている。また、実施の形態１、２と同様に、下段縦枠１８の下方には、貫通孔２４が設けられている。
図９Ｂに示すように、上段縦枠１８の下方には、楕円穴５８が設けられている。楕円穴５８は、図９Ｂの紙面左側に示す正面図において、紙面に対して垂直な方向に楕円形に上段縦枠１８を貫通する穴である。また、楕円穴５８上部には、上段係合杭６０が設けられている。上段係合杭６０は、下段縦枠１６の下段係合杭５４と同じ方向、即ち、図９Ｂの紙面左側に示す正面図においては、紙面に対して垂直な方向に裏表に突出し、紙面右側に示す側面図においては、上段縦枠１４に垂直な方向に左右に突出するように設けられている。
図１０〜１２は、左側面手摺３２０を収納する工程を説明するための断面模式図であり、図１０Ａ、１１Ａ、１２Ａは、正面図を、図１０Ｂ、１１Ｂ、１２Ｂは、側面図を示す。また、図１３は、手摺３１０を収納した状態を示す模式図であり、図１３Ａは、正面図を、図１３Ｂは、図１３Ａにおいて、右側から見た場合の側面図を示す。
図１０に示すように、下段縦枠１６は、取付金具３２及び貫通孔に取付ねじ３４を貫通させることにより、支持枠４に取り付けられている。
また、下段縦枠１６の縦Ｕ字溝５２に、上段縦枠１８の上段係合杭６０を係合させ、上段縦枠１８の楕円穴５８の上方部分に、下段縦枠１６の下段係合杭５４を挿入する。このようにして、下段縦枠１６と、上段縦枠１８とが組み合わされ、一直線上に設置された状態の縦枠を構成する。また、２本の縦枠の間に備えられた下段横枠２０、上段横枠２２は、かご２上面にたいしてほぼ平行な状態にある。
このように設置された状態から、図１１に示すように、上段縦枠１８を上方に引き上げることにより、上段縦枠１８を、回転可能な状態にすることができる。この状態においては、縦Ｕ字溝５２に係合していた上段係合杭６０は、上方にずれ、縦Ｕ字溝５２からは、外されている。また、下段係合杭５４は、縦枠上段が引き上げられることにより、楕円穴５８の下方にずれる。
この状態で、上段縦枠１８は、左右に動かすことができ、手摺３１０を折り畳むためには、図１２に示すように、上段縦枠１８を、下段係合杭５４を中心軸として、約１８０度程度外側に回転して倒す。この状態において、上段縦枠１８の一部は、下段縦枠１６の開放面から、内部に収納される。しかし、上段縦枠の上方部分と上段横枠２２とが、支持枠４にぶつかるため、上段縦枠１８は、１８０度完全には回転せず、下段縦枠１８に途中まで収納された状態で止まる。
また、右側面手摺３３０についても、上述の左側面手摺３２０と同じように収納した状態で、図１３に示すように、下段縦枠１６を、取付ねじ３４を中心に、９０度内側に折り曲げて収納する。このとき、支持枠４にぶつかって、完全に収納されていなかった上段縦枠１８の上方部分及び上段横枠２２部分も、完全に収納される。
その他の部分は実施の形態１または２と同様であるから説明を省略する。
なお、この発明において、上段、下段支持枠の長さの関係は、実施の形態３に説明したものに限るものではない。しかし、実施の形態３のようにすれば、手摺の長さをより長くすることがでるため、小さなスペースに収納可能な高い手摺を設置することができる。
また、この発明において、縦Ｕ字溝５２、下段係合杭５４、横Ｕ字溝５６、楕円穴５８、上段係合杭６０等の形状や配置位置は、実施の形態３に説明したものに限るものではない。
なお、実施の形態３において、縦Ｕ字溝５２、下段係合杭５４、横Ｕ字溝５６、楕円穴５８、上段係合杭６０を含む部分は、この発明における調整手段及び接続部分に該当する。
次に、図１４〜図１６を用いて、この発明の実施の形態４について説明する。
図１４は、この発明の実施の形態４において、エレベータ用かご４００上部に手摺４１０が設置された状態を示す模式図であり、図１４Ａは正面図、図１４Ｂは、図１４Ａにおいて、右側から見た場合の側面図である。
図１４に示すように、手摺４１０は、左側面手摺４２０、右側面手摺４３０及び背面手摺４４０を備える。
左右側面手摺４２０、４３０は、それぞれ、下段縦枠１６と上段縦枠１８とを取付金具７０を介して組み合わせた２本の縦枠と、この２本の縦枠の間に、縦枠に対して垂直になるように配置された下段横枠２０、上段横枠２２とを備える。
また、左右側面手摺４２０、４３０の下段縦枠１６と上段縦枠１８との間に設けられた取付金具には、収納棒７２が設けられている。収納棒７２は、後述するように、一端において、左側面手摺４２０の取付金具７０の左上方に、収納棒７２と取付金具７０との配置角度が変えられるよう回転可能な状態に取り付けられ、また、他端において、右側面手摺４３０の取付金具７０の左下方に、収納棒７２と取付金具７０との配置角度が変えられるように回転な状態に取り付けられている。
図１５は、手摺４１０が収納された状態を示す模式図であり、図１５Ａは、正面図、図１５Ｂは、図１５Ａにおいて右側から見た場合の側面図を示す。
図１５に示すように、手摺４１０の左右側面手摺４２０、４３０は、取付金具７０において、内側に９０度折り畳まれた状態で収納される。また、背面手摺４４０は、左右側面手摺４２０、４３０の下側に、取付ねじ３４を中心軸として、９０度内側に回転して折り畳まれた状態で収納される。
図１４に示す設置の状態から、図１５に収納の状態に手摺４１０を折り畳む際、右側面手摺４３０は、左側面手摺４２０を折り畳むことにより、自動的に折り畳まれるようになっている。
図１６Ａ〜１６Ｃは、手摺４１０の左右側面手摺４２０、４３０を折り畳む状態について説明するための一部透視図を含む正面図である。図１６Ａ〜１６Ｃにおいては、取付金具７０の部分を透視して表している。
図１６Ａに示すように、取付金具７０は、右下方において、左側面手摺４２０の正面側の下段縦枠１６及び上段縦枠１８に、取付ねじ７４によって、回転可能に取り付けられている。また、別の取付金具７０は、右上方において、右側面手摺４２０の正面側の下段縦枠１６及び上段縦枠１８に、取付ねじ７４によって、回転可能に取り付けられている。
上段縦枠１８は、取付金具７０に固定して接着されている。また、収納棒７２は、一端において、左側面手摺４２０の取付金具７０の左上方に取付ねじ７６により回転可能に取り付けられている。また、収納棒７２は、他端において、右側面手摺４３０の取付金具７０の左下方に、取付ねじ７６により回転可能に取り付けられている。
このような構造の左右側面手摺４２０、４３０を、９０度内側に折り畳む場合、まず、図１６Ａにおいて、矢印▲１▼に示す方向に、左側面手摺４２０の上段縦枠１８を、取付ねじ７４を中心軸として、内側に回転させて折り畳む。
このとき、左側面手摺４２０の上段縦枠１８の動きに伴って、上段縦枠１８に固定された取付金具７０は、取付ねじ７４を中心軸として、図１６Ｂにおいて、矢印▲２▼の示す方向に回転する。左右側面手摺４２０の取付金具７０の回転と共に、収納棒７２を取り付ける取付ねじ７６は、収納棒７２と取付金具７０との配置角度を適宜変えながら回転して、矢印▲３▼の方向に、収納棒７２を押す。これによって、右側面手摺４３０に設置された取付金具７０に、収納棒７２を取り付ける取付ねじ７６が、矢印▲４▼の方向に押され、取り付けねじ７４を中心軸として回転する。この時、取付ねじ７６と共に、右側面手摺４３０の取付金具７０も矢印▲４▼の方向に回転する。この回転の際、収納棒７２と、取付金具７０との設置角度は、適宜変えられている。右側面手摺４３０の取付金具７０に固定されている上段縦枠１８も、取付金具７０と共に回転し、矢印▲５▼の方向に倒れることになる。
なお、ここでは、左側面手摺４２０を折り畳むことにより、自動的に右側面手摺４３０を収納する場合について説明したが、逆に、右側面手摺４３０を矢印▲５▼に示す方向に折り畳むことにより、自動的に左側面手摺４２０を折り畳むこともできる。この場合には、左側面手摺４２０から折り畳むのとは逆に、矢印▲５▼方向に右側面手摺４３０が倒されると、矢印▲４▼方向に取付金具７０が回転し、矢印▲３▼方向に収納棒７２が引かれる。これによって、矢印▲２▼方向に、取付金具７０が回転し、矢印▲１▼方向に、左側面手摺４２０が折り畳まれる。
また、側面手摺４２０、４３０を折り畳まず、収納棒７２に、矢印▲３▼に示す方向に力を加えれば、左側面手摺４２０の取付金具７０には、矢印▲２▼方向の力が加わり、右側面手摺４３０の取付金具７０には、矢印▲４▼方向の力が加わる。これによって、左右側面手摺４２０、４３０を、それぞれ、矢印▲１▼、▲５▼方向に折り畳み、自動的に収納することができる。
また、ここでは、手摺を収納する場合について説明したが、左側面手摺４２０、若しくは、右側面手摺４３０、または、収納棒７２に、上述と逆の方向に力を加えることにより、手摺を設置することもできる。
その他の部分については、実施の形態１〜３と同様であるから説明を省略する。
以上のようにすれば、左右側面手摺４２０及び４３０を収納あるいは設置する際、一方の手摺あるいは収納棒７２に力を加えるだけで、左右側面手摺の両方を一度に収納あるいは設置することができる。従って、間口の狭いエレベータにおいても簡単に、かつ迅速に手摺の収納、設置を行うことができ、手摺の収納に要する時間を短縮することができる。
なお、実施の形態４において、取付金具７０、収納棒７２、取付ねじ７２、７４を含む部分は、この発明の自動収納手段に該当する。
次に、この発明の実施の形態５を、図１７〜図２０を用いて説明する。
図１７は、この発明の実施の形態５における、エレベータ用かご５００上部に、手摺５１０を設置した状態を示す模式図であり、図１７Ａは、正面図であり、図１７Ｂは、図１７Ａにおいて、右側から見た場合の側面図を示す
図１７に示すように、実施の形態５におけるエレベータ用かご５００上部に備えられた手摺５１０は、実施の形態４と同様に、左右側面手摺５２０、５３０及び背面手摺５４０を備え、左右側面手摺５２０、５３０を、一度に折り畳む機能を備えるが、その構造が異なる。また、実施の形態５においては、左右側面手摺５２０、５３０を収納あるいは設置する際に、安全装置のスイッチを、自動的に、ＯＮあるいはＯＦＦにすることができる。
図１７に示すように、各手摺５２０、５３０、５４０は、それぞれ、２本の縦枠１４と、２本の縦枠１４の間に、縦枠１４に対して垂直に配置された下段横枠２０と上段横枠２２とを備える。各縦枠１４は、下方に設けられた貫通孔２４と取付金具３２とに、取付ねじ３４を貫通させて、内側に折り畳むことができるように支持枠４に取り付けられている。また、左右側面手摺５２０、５３０の正面側の縦枠１４において、取付金具３２の上方には、収納棒８０、８２がそれぞれ、縦枠１４との配置角度を変えながら変えられるように、回転可能な状態で取り付けられている。
また、収納棒８０、８２の他端は、収納用回転盤８４に、収納棒８０，８２と、収納用回転盤８４との配置角度を変えられるように回転可能に取り付けられている。また、収納用回転盤８４は、収納用回転軸盤８６に取り付けられ、中心軸８８を中心に回転可能になっている。また、収納用回転軸盤８６の内側には、収納用回転盤８４が回転した際に、収納用回転盤８４に当たる位置に、安全装置のスイッチ９０が備えられている。
図１８は、手摺５１０が収納された状態を示す模式図であり、図１８Ａは、正面図、図１８Ｂは、図１８Ａにおいて、右側から見た場合の側面図を示す。
図１８に示すように、手摺５１０が収納された状態にあっては、縦枠１４は、９０度内側に折り畳まれた状態で収納されている。また、実施の形態４と同様に、背面手摺５４０が折り畳まれた上に、左右側面手摺５２０、５３０が折り畳まれている。
図１９は、左右側面手摺５２０、５３０が収納される途中の状態を示す図である。
収納の際、図１９において、矢印▲１▼に示すように、左側面手摺６２０が内側に折り畳まれると、収納棒８０は、両端の取り付けねじの部分において回転して縦枠１４あるいは収納用回転盤８４との配置角度を適宜変えながら、矢印▲２▼の方向に動く。これによって、収納用回転盤８４は、矢印▲３▼の方向に押されて、中心軸８８を中心に回転し、収納棒８２を矢印▲４▼の方向にひきつける。これに伴い、収納棒８２の他端に備えられた右側面手摺５３０の縦枠１４が、矢印▲５▼の方向に押し倒される。このようにして、手摺５１０は、左側面手摺５２０が収納されると、同時に右側面手摺５３０が収納されるようになっている。
また、図２０は、収納用回転盤８４が収納状態になる際に、安全装置のスイッチ９０を押す状態を示す模式図であり、図２０Ａは、安全装置のスイッチ９０がＯＦＦの状態を示し、図２０Ｂは、スイッチ９０がＯＮの状態を示す。
図２０Ａに示すように、手摺５１０が設置されている状態では、収納用回転盤８４は、収納用回転軸盤８６の上方にあるため、安全装置のスイッチ９０はＯＦＦの状態になっている。一方、手摺５１０が収納された状態になると、図２０Ｂに示すように、収納用回転盤８４は、安全装置のスイッチ９０上に収まるようになっているため、手摺５１０が収納された状態においては、常に、スイッチ９０はＯＮの状態になっている。
なお、ここでは、左側面手摺５２０を折り畳むことにより、右側面手摺５３０を折り畳む場合について説明したが、右側面手摺５３０を折り畳むことによって、左側面手摺５２０を折り畳むこともできる。この場合には、左側面手摺５２から折り畳むのとは逆に、図１９において、右側面手摺５３０に矢印▲５▼の方向の力が加えられ、収納棒８２に矢印▲４▼方向、収納用回転盤８４に矢印▲３▼方向、収納棒８０に矢印▲２▼方向の力が加わり、左側面手摺５２０が矢印▲１▼方向に折り畳まれる。また、収納棒８０あるいは８２に、矢印▲２▼あるいは▲４▼方向の力を加えることによっても、左右側面手摺５２０を同時に収納することができる。また、収納用回転盤８４を、矢印▲３▼方向に回転させることによっても、矢印▲２▼、▲１▼方向、及び矢印▲４▼、▲５▼方向の力を伝えることができ、左右側面手摺を同時に収納することができる。また、いずれの収納方法によっても、安全装置のスイッチ９０を自動的にＯＮにすることができる。
更に、ここでは、左右側面手摺５２０、５３０を収納する場合について説明したが、左右側面手摺５２０、５３０、収納棒８０、８２、収納用回転盤８４のいずれかに、上記と逆の方向の力を加えることにより、一度に左右側面手摺５２０、５３０を一度に設置することができる。また、この場合、いずれの設置方法によっても、安全装置のスイッチ９０を自動的にＯＦＦにすることができ、安全装置を自動的に解除することができる。
なお、収納棒８０、８２及び収納用回転盤８４、収納用回転軸盤８６、中心軸８８及び安全装置のスイッチ９０等の配置位置や形状等は、この発明の範囲内で、実施の形態５において説明したものに限るものではない。
その他の部分は、実施の形態１〜４と同様であるから説明を省略する。
以上のようにすれば、簡単な機能で、一度に左右側面手摺を折り畳むことができる。また、安全装置の作動及び解除を手摺の収納、設置と同時に自動的に行うことができる。従って、手摺の設置等に伴う時間を短縮することができる。
なお、実施の形態５において、収納棒８０、８２、収納用回転盤８４、収納用回転軸盤８６及び中心軸８８を含む部分は、この発明における調整手段に該当する。
産業上の利用可能性
以上説明したように、この発明において、手摺の高さを調整する調整手段を有するものについては、側面手摺の高さを短くした状態で折り畳んで収納することができる。従って、エレベータ用かご上手摺をある程度高く設け、側面手摺同士の収納時の干渉やかご上機器との干渉を避けて、小さなスペースにも収納することができる。
また、この発明において、自動収納手段を有するものについては、側面手摺の一方を収納または設置すると、他方の側面手摺を収納または設置ことができる。従って、エレベータの点検等における手摺の設置、収納時間の短縮を図ることができ、作業全体にかかる時間を短縮することができる。
また、この発明において、安全装置の作動及び停止を自動的に行うことができものについては、安全装置の作動、停止に要する時間を短縮することができ、これによっても、エレベータの点検等における作業全体にかかる時間の短縮を図ることができる。
【図面の簡単な説明】
図１は、この発明の実施の形態１におけるエレベータ用かご上部に設置された手摺を示す斜視図である。
図２Ａ〜２Ｃは、この発明の実施の形態１において、エレベータ用かごの上部に手摺が組み立てられた状態を示す模式図である。
図３Ａ〜３Ｃは、この発明の実施の形態１において、手摺が収納された状態を示す図である。
図４Ａ〜４Ｅは、この発明の実施の形態１において、左側面手摺が、収納される工程を説明するための断面図である。
図５Ａ、５Ｂは、この発明の実施の形態２における、エレベータ用かご上部に設置された手摺について説明するための図である。
図６Ａ、６Ｂは、この発明の実施の形態２において、手摺が、収納された状態を説明するための模式図である。
図７Ａ〜７Ｅは、この発明の実施の形態２において、左側面手摺が収納される状態について説明するための一部透視図を含む模式図である。
図８Ａ、８Ｂは、この発明の実施の形態３におけるエレベータ用かご上部に設置された手摺を示す模式図である。
図９は、この発明の実施の形態３における、左右側面手摺の縦枠を示す断面模式図である。
図１０〜１２は、この発明の実施の形態３において、左側面手摺を収納する工程を説明するための断面模式図である。
図１３Ａ、１３Ｂは、この発明の実施の形態３において、手摺を収納した状態を示す模式図である。
図１４Ａ、１４Ｂは、この発明の実施の形態４において、エレベータ用かご上部に手摺が設置された状態を示す模式図である。
図１５Ａ、１５Ｂは、この発明の実施の形態４において、手摺が収納された状態を示す模式図である。
図１６Ａ〜１６Ｃは、この発明の実施の形態４において、手摺の左右側面手摺を折り畳む状態について説明するための一部透視図を含む正面図である。
図１７Ａ、１７Ｂは、この発明の実施の形態５における、エレベータ用かご上部に、手摺を設置した状態を示す模式図である。
図１８Ａ、１８Ｂは、この発明の実施の形態５において、手摺が収納された状態を示す模式図である。
図１９は、この発明の実施の形態５において、左右側面手摺が収納される途中の状態を示す図である。
図２０は、この発明の実施の形態５において、収納用回転盤が収納状態になる際に、安全装置のスイッチを押す状態を示す模式図である。
図２１Ａ〜Ｄは、従来のエレベータ用かごの上部に備えられた手摺を示す模式図である。
【図１】
2003093157.tif 000003
【図２】
2003093157.tif 000004
【図３】
2003093157.tif 000005
【図４】
2003093157.tif 000006
【図５】
2003093157.tif 000007
【図６】
2003093157.tif 000008
【図７】
2003093157.tif 000009
【図８】
2003093157.tif 000010
【図９】
2003093157.tif 000011
【図１０】
2003093157.tif 000012
【図１１】
2003093157.tif 000013
【図１２】
2003093157.tif 000014
【図１３】
2003093157.tif 000015
【図１４】
2003093157.tif 000016
【図１５】
2003093157.tif 000017
【図１６】
2003093157.tif 000018
【図１７】
2003093157.tif 000019
【図１８】
2003093157.tif 000020
【図１９】
2003093157.tif 000021
【図２０】
2003093157.tif 000022
【図２１】
2003093157.tif 000023
【国際調査報告】
2003093157.tif 000024
2003093157.tif 000025
2003093157.tif 000026
2003093157.tif 000027
2003093157.tif 000028
2003093157.tif 000029